(57)【特許請求の範囲】
【請求項１】
シリンダ錠を担持したカップ状のシリンダ筒を、開口端を内側にして扉外面に開口したシリンダ筒挿通穴に挿通し、錠箱の側板を貫通するようにして錠箱に固定するものにおいて、シリンダ筒に同軸に遊嵌し、シリンダ筒挿通穴と嵌合する筒部の外端開口縁にフランジを形成した閉塞筒と、このフランジと扉の外面との間において閉塞筒の外周部に嵌合する環状のスペーサーとを、閉塞筒のフランジの外周部を化粧リングの可動部の開口端縁によって弾圧するようにして固定したことを特徴とする扉のシリンダ筒挿通穴閉塞装置。
【発明の詳細な説明】
【０００１】
【発明の属する技術分野】
この発明は、扉のシリンダ筒挿通穴閉塞装置（以下単に閉塞装置という）に係り、特に、簡単な構造で容易に扉の外面におけるシリンダ筒挿通穴を閉塞することができ、錠前の安全性を向上させることができる閉塞装置に関する。
【０００２】
【従来の技術】
シリンダ錠の扉への装着の態様は、例えば図１に示すように、シリンダ錠１を収納したカップ状のシリンダ筒２を、錠箱３の側板及び扉４を貫通させて扉面外に突出させ、その突出部分を化粧リング５で覆う構造である。
【０００３】
ちなみに、シリンダ筒２そのものは、その開口端縁部外周面に形成された取付ブロック１０、１０及び錠箱３を貫通する装着杆６、６を介して錠箱３に固定される。
【０００４】
また、他のシリンダ筒２の固定方法は、例えば図２に示すように、その開口端縁外周部に形成された雄ねじ部６０を、錠箱３の側面部に設けられた図示しない雌ねじ部に螺合させ、これも図示しないセットビスにより扉の自由側端縁側から固定する。
【０００５】
しかして、或種の高級な扉においては、化粧リングの代りに、エスカチオン（化粧座板：図示せず）を装着する場合がある。
【０００６】
このエスカチオンは、通常、縦長の板材で、表面に彫刻等の装飾が施されており、室内側から取付ビスで扉外面に呼びつけられるようにして装着される。
【０００７】
【発明が解決しようとする課題】
ところが、錠箱３の寸法及びエスカチオンの取付ビスの位置は事実上一定に定まっており、図３に示すように、取付ビスの位置は生憎錠箱の上端を掠めるような位置にある。
【０００８】
そのため、図３に示すように、エスカチオンの取付ビスとの干渉を避けるため、錠箱３の天井板３ａにビス溝７を、錠箱の側板３ｂの上端にビス孔８を夫々形成しなければならないが、これらビス溝７及びビス孔８は化粧リングを用いる扉用の錠箱には必要無いものである。
【０００９】
なお、図３においてはビス孔８は矩形であるが、取付ビスの横断面形状に応じて半円形のビス孔もあるし、Ｕ字形のものもある。
【００１０】
しかしながら、同じ機構の錠箱でありながら取付ビス用のビス溝７及びビス孔８を形成したものとしないものとを別個に製造することは、コストの上昇の原因にもなるし、また、管理も困難になるので、化粧リングを装着する扉用の錠箱にもビス溝及びビス孔を形成している。
【００１１】
なお、これらビス溝７及びビス孔８は、図３に示すように、デッドボルト等の錠止部材を操作するデッドカム９の近傍に開口している。
【００１２】
一方、図１及び図２に示すように、扉４の外面にはシリンダ筒２や取付ブロック１０を通すためのシリンダ筒挿通穴１１が開口しており、シリンダ錠装着時扉外面側からシリンダ筒の取付ブロック１０を錠箱３内に差込み、或いは捩じ込み、扉の自由側端縁側から前記装着杆６、６を取付ブロック１０に差し通したり、セットビスで固定する構造である。
【００１３】
そのため、化粧リングの可動部を持上げ、特殊な形状をした針金の先端部を、シリンダ筒挿通穴１１及び扉の外面と錠箱３との間を通して、上記ビス溝７から錠箱３内に挿入すると、これを引くことによりデッドボルトが引込むので、不正解錠が不可能ではなく、したがって錠前の防犯性が失われる、という不都合がある。
【００１４】
なお、この不正解錠の方法は、これを公表すると防犯上問題があるし、また、実用新案登録第３０８０８９９号に係る登録実用新案公報に記載されているので、ここではその記載を省略する。
【００１５】
この発明は、上記した扉外面に開口したシリンダ筒挿通穴１１を閉塞する簡単な構造の閉塞装置を提供することを目的としている。
【００１６】
【課題を解決するための手段】
上記した目的を達成するため、請求項１に記載の発明は、シリンダ錠を担持したカップ状のシリンダ筒を、開口端を内側にして扉外面に開口したシリンダ筒挿通穴に挿通し、錠箱の側板を貫通するようにして錠箱に固定するものにおいて、シリンダ筒に同軸に遊嵌し、シリンダ筒挿通穴と嵌合する筒部の外端開口縁にフランジを形成した閉塞筒と、このフランジと扉の外面との間において閉塞筒の外周部に嵌合する環状のスペーサーとを、閉塞筒のフランジの外周部を化粧リングの可動部の開口端縁によって弾圧するようにして固定したことを特徴とする。
【００１７】
【実施例】
以下、この発明の実施例を図４を参照して説明する。
図４において符号１２は閉塞筒を示し、この閉塞筒１２は扉外面に開口した前記シリンダ筒挿通穴１１に嵌合可能な薄肉短円柱体で、その外端（図で左端）における開口端にはフランジ１２ａが形成されている。
【００１８】
そして、この閉塞筒１２の外径は扉外面に開口したシリンダ筒挿通穴１１（図１及び図２参照）に嵌合、或いは僅かな隙間を介して遊嵌可能に設定されている。なお、ここでは上記したように僅かな隙間を介して遊嵌する場合も嵌合と定義することにする。
【００１９】
図４の下半分は扉が厚い場合、上半分は扉が薄い場合を示すが、何れの場合も、扉４の外面と閉塞筒のフランジ１２ａとの間に、閉塞筒１２の外周部に嵌合する少なくとも１枚の環状のスペーサー１３が巻装されている。
【００２０】
そして、化粧リング５のカップ状の可動部の開口端縁が、フランジ１２ａの外周部外面を扉４方向に弾圧するようにして、これら閉塞筒１２及びスペーサー１３を固定している。
【００２１】
上記のように構成された請求項１に記載の発明の一実施例による閉塞装置は、新築の家或いはマンションの扉にシリンダ錠を装着する前に扉外面に装着する。
【００２２】
ちなみに、図１に示すようにシリンダ筒２を介してシリンダ錠を扉に装着するときには、先ずアルミサッシの扉の自由側端縁から錠箱を扉内に埋設し、その後スペーサー１３を巻装した閉塞筒１２を図４に示すように装着する。
【００２３】
しかる後、化粧リング５と一体のシリンダ筒２を閉塞筒１２の内筒部を挿通させて錠箱３内に挿入し、前記したように扉４の自由側端縁から装着杆６、６を差込んでシリンダ筒２を固定し、最後にフロント板（図示せず）を装着する。
【００２４】
また、図２に示すように雄ねじ部を有するシリンダ筒２を介してシリンダ錠を扉に装着するときには、先ずアルミサッシの扉の自由側端縁から錠箱を扉内に埋設し、その後図４に示すようにスペーサー１３を巻装した閉塞筒１２の内端部をシリンダ筒挿通穴１１（図２参照）に差し込む。
【００２５】
しかる後、化粧リング５と一体のシリンダ筒２の内端雄ねじ部を閉塞筒１２の内筒部を挿通させて錠箱３の側板部に螺入し、所定の角度位置で扉の自由側端縁から図示しないセットビスによりシリンダ筒を固定する。
【００２６】
すると、図４から明らかなように、化粧リング５の可動部の開口端縁が、閉塞筒のフランジ１２ａの外周部を介して、スペーサー１３を扉４の外面に弾圧するようにしてこれらを固定する。
【００２７】
換言すれば、閉塞筒１２及びスペーサー１３は、扉４の外面と化粧リング５の可動部の開口端縁との間に挟み付けられるようにして扉に固定される。
【００２８】
このとき、図４に示すように、化粧リング５の可動部を扉外面に弾圧する付番しないコイルばねが最大限に押し縮められ、それ以上化粧リングの可動部が持上げられないように、扉厚に応じてスペーサー１３の厚さを設定するを可とする。
【００２９】
一方、既設の扉にこの発明による閉塞装置を装着するときには、扉の自由側端縁からフロント板を外して、上記した操作とは逆に先ず装着杆６を抜いてシリンダ筒２を錠箱３から外し、或いはセットビスを外してシリンダ筒２をねじ戻し可能にし、シリンダ筒２を錠箱３から螺じ外してからシリンダ筒２に閉塞筒１２及びスペーサー１３を巻装し、しかる後前記した取付作業を行う。
【００３０】
上記のように構成された請求項１に記載の発明の一実施例による閉塞装置は、図４から明らかなように、化粧リング５の可動部を扉外面から持上げてその隙間及びシリンダ筒挿通穴から前記特殊な形状の針金を挿入しようとしても、化粧リング５を付勢している付番しないコイルばねが一杯に押し縮められているので化粧リング５を持ち上げることができず、したがって針金を挿入することができない。
【００３１】
また、仮に化粧リングを無理に押し上げ、扉外面とスペーサーとの間の隙間から扉内の錠箱埋設空間に針金を挿入しようとしても、その針金の挿入は閉塞筒１２によって阻止されるので、前記した針金による不正解錠を完全に防止できる。
【００３２】
【発明の効果】
以上の説明から明らかなように、請求項１に記載の発明は、シリンダ筒に同軸に遊嵌し、シリンダ筒挿通穴と嵌合する筒部の外端開口縁にフランジを形成した閉塞筒と、このフランジと扉の外面との間において閉塞筒の外周部に嵌合する環状のスペーサーとを、閉塞筒のフランジの外周部を化粧リングの可動部の開口端縁によって弾圧するようにして固定したので、化粧リングの可動部を持ち上げようとしてもそれは困難で、したがってシリンダ筒挿通穴から針金を差込んでの不正解錠を完全に防止することができる、という所期の効果を奏する。
【００３３】
また、仮に化粧リングを持上げて扉外面とスペーサーとの間に隙間から針金を挿入しようとしても、その針金の挿入は閉塞筒によって阻止されるので、前記した針金による不正解錠は更に困難になる。
【００３４】
また、請求項２に記載の発明は、扉の外面側においてシリンダ筒と嵌合する環状のスペーサーを、その外周部を化粧リングの可動部の開口端縁によって弾圧するようにして固定したので、請求項１に記載の発明と同様に化粧リングの可動部を持ち上げようとしてもそれは困難で、したがってシリンダ筒挿通穴から針金を差込んでの不正解錠を完全に防止することができる、という所期の効果を奏する。
【図面の簡単な説明】
【図１】  シリンダ錠の取付の一例を示す線図的断面図。
【図２】  シリンダ筒の取付の他の例を示す線図的断面図。
【図３】  錠箱の構造の一例を示す一部側面図。
【図４】  請求項１に記載の発明の一実施例による閉塞装置の断面図。
【符号の説明】
１  シリンダ錠
２  シリンダ筒
３  錠箱
４  扉
５  化粧リング
６  装着杆
７  ビス溝
８  ビス孔
９  デッドカム
１１  シリンダ筒挿通穴
１２  閉塞筒
１３  スペーサー
６０  雄ねじ部
【図１】
0004131131.tif 000002
【図２】
0004131131.tif 000003
【図３】
0004131131.tif 000004
【図４】
0004131131.tif 000005